(57)【要約】【課題】  プロジェクタによる投映を行うと共に装置本体に設けられた表示部における表示を行う場合の電力消費を抑制することができる電子機器を提供する。【解決手段】  投映画像を投映する投映部４６と、所定の情報を表示する表示部２０と、リモコンにより送信された信号を受信する受信部と、前記投映部及び前記表示部に供給する駆動電流を制御し、前記投映部及び前記表示部の両方を駆動させる場合に、前記受信部により信号を受信したときに前記表示部への前記駆動電流の供給を抑制または停止する電源制御部５０とを備える。【選択図】  図３
2012023587.tif 000002
【特許請求の範囲】
【請求項１】
投映画像を投映する投映部と、
所定の情報を表示する表示部と、
リモコンにより送信された信号を受信する受信部と、
前記投映部及び前記表示部に供給する駆動電流を制御し、前記投映部及び前記表示部の両方を駆動させる場合に、前記受信部により信号を受信したときに前記表示部への前記駆動電流の供給を抑制または停止する電源制御部と
を備えることを特徴とする電子機器。
【請求項２】
被写体を撮像する撮像部を備えることを特徴とする請求項１に記載の電子機器。
【請求項３】
光源から射出された光により投映画像を投映する投映部と、
所定の情報を表示する表示部と、
前記光源及び前記表示部の両方を点灯させる場合に前記光源及び前記表示部に対して供給する駆動電流の少なくとも一方を抑制する電源制御部と
を備えることを特徴とする電子機器。
【請求項４】
リモコンにより送信された信号を受信する受信部を備え、
前記電源制御部は、前記受信部により信号を受信した場合に前記表示部に対する前記駆動電流の供給を抑制または停止することを特徴とする請求項３記載の電子機器。
【請求項５】
被写体を撮像する撮像部を備えることを特徴とする請求項３または４に記載の電子機器。
【請求項６】
前記装置本体の前面に配置されリモコンにより送信された信号を受信する第１の受信部及び前記装置本体の背面に配置され前記信号を受信する第２の受信部を備え、
前記表示部は装置本体の背面に配置され、
前記電源制御部は、前記撮像部を用いた撮像を行う撮像モードにおいて、前記第１の受信部により前記信号を受信した場合には、前記表示部に対する前記駆動電流の供給を抑制または停止し、前記第２の受信部により前記信号を受信した場合には前記表示部に対する前記駆動電流の供給を維持することを特徴とする請求項５記載の電子機器。
【請求項７】
前記電源制御部は、前記投映部による投映を行う投映モードにおいて、前記第１の受信部または前記第２の受信部により前記信号を受信した場合には前記表示部に対する前記駆動電流の供給を抑制または停止することを特徴とする請求項６記載の電子機器。
【請求項８】
前記表示部に積層して配置されるタッチパネルにより構成される操作部を備えることを特徴とする請求項１〜７の何れか一項に記載の電子機器。
【請求項９】
前記表示部に対する前記駆動電流の供給が停止している状態で前記タッチパネルにより構成される操作部が操作されると、前記電源制御部は、前記表示部に対する前記駆動電流の供給を行なうことを特徴とする請求項１〜８の何れか一項に記載の電子機器。
【請求項１０】
前記電源制御部は、バッテリから供給される電源を用いて前記駆動電流の制御を行うことを特徴とする請求項１〜９の何れか一項に記載の電子機器。
【発明の詳細な説明】
【技術分野】
【０００１】
本発明は、電子機器に関するものである。
【背景技術】
【０００２】
プロジェクタを備えるカメラが知られている（例えば、特許文献１参照）。このカメラにおいては、プロジェクタとして使用する場合に画像の投映を行うと共にカメラの背面に設けられたＬＣＤ表示部においても確認及び選択用の画像を表示している。
【先行技術文献】
【特許文献】
【０００３】
【特許文献１】特開２００５−２５０３９２号公報
【発明の概要】
【発明が解決しようとする課題】
【０００４】
しかし、このカメラにおいてはプロジェクタによる投映を行うと共にＬＣＤ表示部における表示を行う際の電力消費については考慮していなかった。
【０００５】
本発明の目的は、プロジェクタによる投映を行うと共に装置本体に設けられた表示部における表示を行う場合の電力消費を抑制することができる電子機器を提供することである。
【課題を解決するための手段】
【０００６】
本発明に係る電子機器は、投映画像を投映する投映部と、所定の情報を表示する表示部と、リモコンにより送信された信号を受信する受信部と、前記投映部及び前記表示部に供給する駆動電流を制御し、前記投映部及び前記表示部の両方を駆動させる場合に、前記受信部により信号を受信したときに前記表示部への前記駆動電流の供給を抑制または停止する電源制御部とを備えることを特徴とする。
【０００７】
また、本発明に係る電子機器は、光源から射出された光により投映画像を投映する投映部と、所定の情報を表示する表示部と、前記光源及び前記表示部の両方を点灯させる場合に前記光源及び前記表示部に対して供給する駆動電流の少なくとも一方を抑制する電源制御部とを備えることを特徴とする。
【発明の効果】
【０００８】
本発明に係る電子機器によれば、プロジェクタによる投映を行うと共に装置本体に設けられた表示部における表示を行う場合の電力消費を抑制することができる。
【図面の簡単な説明】
【０００９】
【図１】本発明の第１の実施の形態に係るカメラ本体の前面及びリモコンを示す斜視図である。
【図２】本発明の第１の実施の形態に係るカメラ本体の背面を示す図である。
【図３】本発明の第１の実施の形態に係るカメラのシステム構成を示すブロック図である。
【図４】本発明の第１の実施の形態に係るカメラの投映部及びＬＣＤ表示部に対する駆動電流制御処理を示すフローチャートである。
【図５】本発明の第１の実施の形態に係るカメラの投映部及びＬＣＤ表示部に対する他の駆動電流制御処理を示すフローチャートである。
【図６】本発明の第２の実施の形態に係るカメラのシステム構成を示すブロック図である。
【発明を実施するための形態】
【００１０】
以下、図面を参照して本発明の第１の実施の形態に係る電子機器についてカメラを例に説明する。図１は、第１の実施の形態に係るカメラの前面及びリモコンを示す斜視図である。カメラ２はプロジェクタを備えるデジタルカメラであって、カメラ２は装置本体４、リモコン６６を備えている。装置本体４の前面には被写体光を入射させる撮影窓６、画像を投映するプロジェクタ投映窓８、リモコン６６から送信された信号を受信するリモコン受信部１０が設けられている。また、装置本体４の上面には、レリーズ指示を行うレリーズボタン１２、電源スイッチ１４、プロジェクタにより投映される画像のピント合わせを行うためのフォーカスレバー１６、プロジェクタによる投映を行うプロジェクタモードへの切替指示を行うプロジェクタボタン１８が設けられている。
【００１１】
また、リモコン６６は、プロジェクタモードへの切替指示を行うプロジェクタボタン６８、投映画像の選択指示や決定指示を行う操作キー７０、操作入力に基づく信号を装置本体４に対して送信するリモコン送信部７２を備えている。
【００１２】
図２は、第１の実施の形態に係るカメラ本体の背面を示す図である。装置本体４の背面には、撮像画像やメニュー画面等を表示するＬＣＤ表示部２０、リモコン６６から送信された信号を受信するリモコン受信部２２、撮影を行う撮影モードへの切替指示を行う撮影モードボタン２４、ＬＣＤ表示部２０において撮像画像の表示を行う再生モードへの切替指示を行う再生ボタン２６が設けられている。ここで、ＬＣＤ表示部２０にはプロジェクタモードにおける投映画像の選択指示や決定指示、撮影モードにおけるズーム指示等の操作指示の受け付けを行う透明電極により構成されるタッチパネル２８が積層して配置されている。
【００１３】
図３は、第１の実施の形態に係るカメラのシステム構成を示すブロック図である。カメラ２は、装置本体４、リモコン６６を備えている。装置本体４はＣＰＵ３０を備え、ＣＰＵ３０にはリモコン受信部１０，２２、操作部３４、被写体を撮像して撮像信号（蓄積電荷としてのアナログ信号）を生成するＣＣＤ或いはＣＭＯＳ等により構成される撮像素子３６、撮像素子３６から出力された撮像信号を図示しないＡ／Ｄ変換部においてＡ／Ｄ変換することにより生成された画像データを記憶する画像記憶部３８、撮像画像や投映画像、種々のデータを記憶するメモリカード４２、ＬＣＤ表示部２０の表示制御を行う表示制御部４４、タッチパネル２８、画像記憶部３８やメモリカード４２に記憶された画像や種々のデータを投映する投映部４６、装置本体４に電源を供給する電源制御部５０が接続されている。
【００１４】
ここで、操作部３４は、レリーズボタン１２、電源スイッチ１４、フォーカスレバー１６、プロジェクタボタン１８、撮影モードボタン２４、再生ボタン２６を含み、投映部４６は、光源であるＬＥＤ５２、投映する画像を表示するＬＣＯＳ５４の表示制御を行う投映制御部５６を備えている。また、ＬＣＤ表示部２０は、投映画像を表示するＬＣＤパネル６０、ＬＣＤパネル６０を照射するバックライト６２を備えている。
【００１５】
また、電源制御部５０には電源を供給するバッテリ６４が接続され、電源制御部５０は、バッテリ６４から供給された電源をＬＥＤ５２、バックライト６２に対して供給し、また、ＣＰＵ３０を介して装置本体４の各部に供給する。なお、装置本体４に図示しないＡＣアダプタが接続され電源の供給を受ける場合にはＣＰＵ３０を介して装置本体４の各部に電源を供給する他、バッテリ６４の充電を行ってもよい。
【００１６】
また、リモコン６６は、プロジェクタボタン６８、操作キー７０、リモコン送信部７２を備えている。
【００１７】
次に、図４に示すフローチャートを参照して第１の実施の形態に係るカメラのプロジェクタ投映時におけるＬＣＤ表示部及び投映部に対する駆動電流制御処理について説明する。電源スイッチ１４の操作により装置本体４の電源がオンにされると、電源制御部５０はバックライト６２に対して駆動電流を供給し、ＬＣＤ表示部２０の点灯を行う（ステップＳ１）。このとき、電源制御部５０はバッテリ６４から電源の供給を受け、バックライト６２に対して供給可能な最大の駆動電流を供給する。
【００１８】
次に、ＣＰＵ３０は装置本体４のプロジェクタボタン１８が操作されたか否かを判定する（ステップＳ２）。プロジェクタボタン１８が操作された場合には、投映部４６による投映を開始する。このとき、電源制御部５０はＬＥＤ５２に対して供給可能な駆動電流よりも少ない駆動電流を供給し、ＬＥＤ５２を減光した状態で点灯する（ステップＳ３）。即ち、ＬＥＤ５２に対して供給可能な最大の駆動電流を供給する場合に比べて低輝度の投映画像を投映する。なお、このとき電源制御部５０はバックライト６２に対して供給可能な最大の駆動電流を供給し、ＬＣＤ表示部２０の点灯は減光せずに行う。
【００１９】
ここで、バックライト６２及びＬＥＤ５２のそれぞれに対して供給可能な最大の駆動電流を供給すると、バッテリ６４の出力可能電流を超えるため、電源制御部５０はＬＥＤ５２に対して供給可能な最大の駆動電流よりも少ない駆動電流を供給する。一方、ステップＳ２において装置本体４のプロジェクタボタン１８の操作が行われない場合には、ステップＳ１及びＳ２に示す処理を繰り返す。
【００２０】
次に、ＣＰＵ３０はリモコン６６の操作キー７０を用いた操作指示が行われたか否かを判定する（ステップＳ４）。即ち、リモコン受信部１０，２２の何れかを介して操作キー７０を用いた操作入力に基づく信号を受信したか否かを判定する。
【００２１】
リモコン６６の操作キー７０を用いた操作指示が行われない場合には、撮影モードボタン２４、再生ボタン２６等を用いた投映終了指示が行われたか否かを判定し（ステップＳ５）、投映終了指示が行われない場合には、ステップＳ３〜Ｓ５に示す処理を繰り返す。
【００２２】
一方、ステップＳ５において、投映終了指示が行われた場合、例えば、撮影モードボタン２４の操作が行われた場合には装置本体４の動作は撮影モードに切り替わるため投映処理を終了し、再生ボタン２６の操作が行われた場合には装置本体４の動作は再生モードに切り替わるため投映処理を終了する。従って、電源制御部５０はＬＥＤ５２に対する駆動電流の供給を停止することによりＬＥＤ５２を消灯し（ステップＳ１１）、ＬＥＤ５２及びバックライト６２に対する駆動電流制御処理を終了する。
【００２３】
ステップＳ４においてリモコン６６の操作キー７０を用いた操作指示が行われた場合には、電源制御部５０はバックライト６２に対する駆動電流の供給を停止することによりＬＣＤ表示部２０を消灯すると共に、ＬＥＤ５２に対して供給可能な最大の駆動電流を供給する（ステップＳ６）。即ち、投映部４６により最大の輝度で投映画像を投映する。
【００２４】
次に、ＣＰＵ３０はタッチパネル２８を用いた操作指示が行われたか否かを判定する（ステップＳ７）。タッチパネル２８を用いた操作指示が行われない場合には、撮影モードボタン２４、再生ボタン２６等を用いた投映終了指示が行われたか否かを判定し（ステップＳ８）、投映終了指示が行なわれない場合には、ステップＳ６〜Ｓ８に示す処理を繰り返す。一方、ステップＳ８において投映終了指示が行われた場合には、電源制御部５０はＬＥＤ５２に対する駆動電流の供給を停止することによりＬＥＤ５２を消灯し（ステップＳ１１）、ＬＥＤ５２及びバックライト６２に対する駆動電流制御処理を終了する。
【００２５】
ステップＳ７においてタッチパネル２８を用いた操作指示が行われた場合には、電源制御部５０は、ＬＥＤ５２に対して供給可能な最大電流よりも少ない駆動電流を供給し、ＬＥＤ５２を減光した状態で点灯すると共に、バックライト６２に対して供給可能な最大の駆動電流を供給し、ＬＣＤ表示部２０を減光せずに点灯する（ステップＳ９）。
【００２６】
次に、ＣＰＵ３０は、撮影モードボタン２４、再生ボタン２６等を用いた投映終了指示が行われたか否かを判定し（ステップＳ１０）、投映終了指示が行われない場合には、ステップＳ４に示す処理に戻る。一方、投映終了指示が行われた場合には、電源制御部５０はＬＥＤ５２に対する駆動電流の供給を停止することによりＬＥＤ５２を消灯し（ステップＳ１１）、ＬＥＤ５２及びバックライト６２に対する駆動電流制御処理を終了する。
【００２７】
次に、図５に示すフローチャートを参照して第１の実施の形態に係るカメラのプロジェクタ投映時における投映部及びＬＣＤ表示部に対する他の駆動電流制御処理について説明する。
【００２８】
電源スイッチ１４の操作により装置本体４の電源がオンにされると、電源制御部５０はバックライト６２に対して駆動電流を供給し、ＬＣＤ表示部２０の点灯を行う（ステップＳ２１）。このとき、電源制御部５０はバッテリ６４から電源の供給を受け、バックライト６２に対して供給可能な最大の駆動電流を供給する。
【００２９】
次に、ＣＰＵ３０はリモコン６６のプロジェクタボタン６８が操作されたか否か判定する（ステップＳ２２）。即ち、リモコン受信部１０，２２の何れかを介してプロジェクタモードへの切替指示を示す信号を受信したか否かを判定する。
【００３０】
ＣＰＵ３０は、プロジェクタボタン６８が操作されたと判定した場合には、投映を開始する。このとき、電源制御部５０はバックライト６２に対する駆動電流の供給を停止することによりＬＣＤ表示部２０を消灯すると共に、ＬＥＤ５２に対して供給可能な最大の駆動電流を供給する（ステップＳ２３）。一方、ステップＳ２２においてリモコン６６のプロジェクタボタン６８の操作が行われないと判定した場合には、ステップＳ２１及びＳ２２に示す処理を繰り返す。
【００３１】
次に、ＣＰＵ３０はタッチパネル２８を用いた操作指示が行われたか否かを判定する（ステップＳ２４）。ここで、ステップＳ２４〜Ｓ２６に示す処理は、図４に示すフローチャートのステップＳ７〜Ｓ９に示す処理と同様であるため説明は省略する。なお、ステップＳ２５において投映終了指示が行われない場合にはステップＳ２３及びＳ２４に示す処理を繰り返し、投映終了指示が行われた場合には、電源制御部５０はＬＥＤ５２に対する駆動電流の供給を停止することによりＬＥＤ５２を消灯し（ステップＳ３１）、ＬＥＤ５２及びバックライト６２に対する駆動電流制御処理を終了する。
【００３２】
次に、ＣＰＵ３０はリモコン６６の操作キー７０を用いた操作指示が行われたか否かを判定する（ステップＳ２７）。ここで、ステップＳ２７〜Ｓ２９に示す処理は、図４のフローチャートに示すステップＳ４〜Ｓ６に示す処理とそれぞれ同様であるため、説明は省略する。なお、ステップＳ２８において投映終了指示が行われない場合には、ステップＳ２６〜Ｓ２８に示す処理を繰り返し、投映終了指示が行われた場合には電源制御部５０はＬＥＤ５２に対する駆動電流の供給を停止することによりＬＥＤ５２を消灯し（ステップＳ３１）、ＬＥＤ５２及びバックライト６２に対する駆動電流制御処理を終了する。
【００３３】
次に、ＣＰＵ３０は、撮影モードボタン２４、再生ボタン２６等を用いた投映終了指示が行われたか否かを判定し（ステップＳ３０）、投映終了指示が行なわれない場合には、ステップＳ２４に示す処理に戻る。一方、投映終了指示が行われた場合には、電源制御部５０はＬＥＤ５２に対する駆動電流の供給を停止することによりＬＥＤ５２を消灯し（ステップＳ３１）、ＬＥＤ５２及びバックライト６２に対する駆動電流制御処理を終了する。
【００３４】
本実施の形態に係るカメラによれば、プロジェクタによる投映を行うと共に本体に設けられた表示部における表示を行う場合の電力消費を抑制することができる。従って、バッテリから電源の供給を受ける場合において電池寿命を長くすることができる。
【００３５】
また、この場合において、プロジェクタ投映を行う際にタッチパネルを用いて操作を行う場合であっても、ＬＥＤ及びバッテリそれぞれに対して供給可能な最大の駆動電流を合計した駆動電流よりも少ない駆動電流を供給するため、バッテリの出力可能電流を超過しないように制御することができる。従って、バッテリへの過度の負担を防止することができる。また、ＬＥＤ及びバックライトに対して供給可能な最大の駆動電流を供給した場合と比較して発熱を抑制することができる。
【００３６】
また、リモコンを用いた操作を行う場合には、ＬＣＤ表示部における表示は不要と考えられることからＬＣＤ表示部を消灯して投映部のＬＥＤに対して供給可能な最大の駆動電流を供給するため輝度の高い投映画像を投映することができる。
【００３７】
なお、上述の実施の形態においては、装置本体４の撮影モードボタン２４、再生ボタン２６を用いて投映終了指示を行う構成として説明したが、リモコン６６において所定の操作が行われた場合に投映終了指示を行う構成としてもよい。
【００３８】
また、上述の実施の形態においては、図４のステップＳ３、ステップＳ９及び図５のステップＳ２６に示す処理において投映部４６のＬＥＤ５２を減光した状態で点灯し、ＬＣＤ表示部２０のバックライト６２を減光せずに点灯する構成を説明したが、ＬＥＤ５２及びバックライト６２の両方を減光した状態で点灯してもよいし、ＬＥＤ５２を減光せずに点灯しバックライト６２を減光した状態で点灯する構成としてもよい。
【００３９】
また、上述の実施の形態においては、図４のステップＳ６及び図５のステップＳ２３、ステップＳ２９に示す処理において、電源制御部５０はＬＣＤ表示部２０のバックライト６２を消灯し、投映部４６のＬＥＤ５２に対して供給可能な最大の駆動電流を供給することによりＬＥＤ５２を減光せずに点灯する構成を説明したが、電源制御部５０はバックライト６２を減光した状態で点灯し、ＬＥＤ５２に対して供給可能な最大の駆動電流を供給することによりＬＥＤ５２を減光せずに点灯する構成としてもよい。
【００４０】
また、上述の実施の形態においては、バッテリ６４から電源の供給を受ける場合の投映部４６及びＬＣＤ表示部２０に対する駆動電流制御処理について説明したが、装置本体４にＡＣアダプタを接続し電源の供給を受ける場合に、図４及び図５に示す駆動電流制御処理を行ってもよいし、電源制御部５０はＬＥＤ５２及びバックライト６２のそれぞれに対して供給可能な最大の駆動電流を供給してもよい。
【００４１】
次に、本発明の第２の実施の形態に係るカメラについて説明する。この第２の実施の形態に係るカメラは、第１の実施の形態に係るカメラの本体から投映部を削除し、リモコンにレリーズボタンを付加したものである。従って、第１の実施の形態と同一の構成についての詳細な説明は省略し、異なる部分のみについて詳細に説明する。また、第１の実施の形態と同一の構成には同一の符号を付して説明する。
【００４２】
図６は、第２の実施の形態に係るカメラのシステム構成を示すブロック図である。カメラ２は、装置本体４、リモコン６６を備えている。装置本体４は、ＣＰＵ３０を備え、ＣＰＵ３０には装置本体４の前面に設けられたリモコン受信部１０、装置本体４の背面に設けられたリモコン受信部２２、操作部３４、画像記憶部３８、メモリカード４２、ＬＣＤパネル６０の表示制御を行う表示制御部４４、電源制御部５０が接続されている。
【００４３】
ここで、操作部３４は、レリーズボタン１２、電源スイッチ１４、撮影モードボタン２４、再生ボタン２６を含み、ＬＣＤ表示部２０は、スルー画やメニュー画面等を表示するＬＣＤパネル６０、バックライト６２を備えている。また、電源制御部５０にはバッテリ６４が接続され、電源制御部５０は、バッテリ６４から供給された電源をバックライト６２に対して供給し、また、ＣＰＵ３０を介して装置本体４の各部に供給する。
【００４４】
また、リモコン６６は、リモコン送信部７２、撮影モードにおけるレリーズ指示を行うレリーズボタン７４を備えている。
【００４５】
次に、第２の実施の形態に係るカメラのリモコンを用いた撮影におけるバックライトに対する駆動電流制御処理について説明する。電源スイッチ１４の操作により装置本体４のオンにされると、カメラ２は撮影モードとして起動する。また、電源制御部５０はバックライト６２に対して駆動電流を供給し、ＬＣＤ表示部２０の点灯を行う。このとき、電源制御部５０はバッテリ６４から電源の供給を受け、バックライト６２に対して供給可能な最大の駆動電流を供給する。
【００４６】
次に、撮影モードにおいてリモコン６６から送信された信号を受信すると、ＣＰＵ４はリモコン受信部１０を介して受信したか、リモコン受信部２２を介して受信したかを判定する。
【００４７】
装置本体４の前面に設けられたリモコン受信部１０により信号を受信した場合には、使用者が装置本体４の前面側に位置しＬＣＤ表示部２０に表示されるスルー画を確認できないため、電源制御部５０はバックライト６２に対する電源の供給を停止し、ＬＣＤ表示部２０を消灯する。
【００４８】
一方、装置本体４の背面に設けられたリモコン受信部２２により信号を受信した場合には、使用者が装置本体４の背面側に位置しＬＣＤ表示部２０に表示されるスルー画等の確認が可能であるため、電源制御部５０はバックライト６２に対する駆動電流の供給を維持する。即ち、バックライト６２に対して供給可能な最大の駆動電流を供給する。
【００４９】
本実施の形態に係るカメラによれば、ＬＣＤ表示部に表示されるスルー画等の確認を行う必要がない場合にはＬＣＤ表示部の消灯を行うため、電力消費を抑制することができる。
【００５０】
なお、上述の第２の実施の形態において、装置本体４の前面に設けられたリモコン受光部１０を介して受信した場合にＬＣＤ表示部２０を消灯する構成として説明したが、電源制御部５０はバックライト６２に対して供給可能な最大の駆動電流よりも少ない駆動電流の供給を行うことによりＬＣＤ表示部２０を減光した状態で点灯する構成としてもよい。
【００５１】
また、上述の第２の実施の形態においては、装置本体４に投映部を備えない構成として説明したが、装置本体４が投映部を備えていてもよい。この場合には、リモコン６６がプロジェクタボタンを備えていてもよい。
【００５２】
上述の各実施の形態においては、装置本体４の背面にＬＣＤ表示部２０を備える構成として説明したが、ＬＣＤ表示部２０に代えて有機ＥＬディスプレイを備える構成としてもよい。
【符号の説明】
【００５３】
２…カメラ、４…装置本体、１０，２２…リモコン受信部、１８…プロジェクタボタン、２０…ＬＣＤ表示部、２８…タッチパネル、４６…投映部、５０…電源制御部、５２…ＬＥＤ、６２…バックライト、６４…バッテリ、６６…リモコン、６８…プロジェクタボタン、７２…リモコン送信部
【図１】
2012023587.tif 000003
【図２】
2012023587.tif 000004
【図３】
2012023587.tif 000005
【図４】
2012023587.tif 000006
【図５】
2012023587.tif 000007
【図６】
2012023587.tif 000008